(57)【要約】  【課題】  高精度な同期検出を行うこと。  【解決手段】  相関演算により受信シンボルから同期ワード候補を検出して、その同期ワード候補について周波数と位相を補正をしてから正規同期ワードとのパターン照合を行い同期をとる。同期確立の後はパターン照合のみで同期確認を行い相関演算は停止する。相関演算で用いる相関閾値は、最初は初期値を設定し、得られた相関絶対値が該初期値を超えたときは、該相関絶対値の最大値に基づいて定めた新たな相関閾値に更新する。【選択図】  図１
2005117366.tif 000002
【特許請求の範囲】
【請求項１】
受信したシンボルと受信装置内部に保持した正規な同期ワードシンボルとの比較により同期を確立する多値ＱＡＭ／多値ＰＳＫ信号の同期方法において、
前記受信したシンボルと前記正規な同期ワードシンボルとの複素相関を演算して相関絶対値を得、該相関絶対値と相関閾値を比較して前者が後者を超えたときに前記受信したシンボルを同期ワード候補として検出し、該検出した同期ワード候補と前記正規な同期ワードシンボルとのパターン照合を行い、両者のパターンの一致に基づき同期を確立することを特徴とする多値ＱＡＭ／多値ＰＳＫ信号の同期方法。
【請求項２】
請求項１に記載の多値ＱＡＭ／多値ＰＳＫ信号の同期方法において、
前記パターン照合によりパターンが一致し同期が確立した後は前記複素相関の演算および前記相関絶対値と前記相関閾値の比較は行わずに前記パターン照合のみを行い、その後パターン一致が得られないとき前記複素相関の演算および前記相関絶対値と前記相関閾値の比較を行って前記同期ワード候補の検出を再開することを特徴とする多値ＱＡＭ／多値ＰＳＫ信号の同期方法。
【請求項３】
請求項１又は２に記載の多値ＱＡＭ／多値ＰＳＫ信号の同期方法において、
前記パターン照合は、前記同期ワード候補に基づいて前記同期ワード候補の位相および周波数補正を行った後に行うことを特徴とする多値ＱＡＭ／多値ＰＳＫ信号の同期方法。
【請求項４】
請求項１乃至３のいずれか１つに記載の多値ＱＡＭ／多値ＰＳＫ信号の同期方法において、
前記複素相関演算は、シンボルクロックにより受信シンボルから抽出された１シンボル当り１個のデータを使用して行うことを特徴とする多値ＱＡＭ／多値ＰＳＫ信号の同期方法。
【請求項５】
請求項１乃至４のいずれか１つに記載の多値ＱＡＭ／多値ＰＳＫ信号の同期方法において、
前記相関閾値として最初は初期値を設定し、前記得られた相関絶対値が該初期値を超えたときは、前記相関閾値を前記相関絶対値の最大値に基づいて定めた新たな相関閾値に更新するようにしたことを特徴とする多値ＱＡＭ／多値ＰＳＫ信号の同期方法。
【請求項６】
請求項５に記載の多値ＱＡＭ／多値ＰＳＫ信号の同期方法において、
前記相関閾値を更新してから所定の時間が経過しても得られる相関絶対値が前記更新した相関閾値を超えないときは、前記更新した相関閾値を前記初期値に戻すことを特徴とする多値ＱＡＭ／多値ＰＳＫ信号の同期方法。
【請求項７】
受信したシンボルと受信装置内部に保持した正規な同期ワードシンボルとの比較により同期を確立する多値ＱＡＭ／多値ＰＳＫ信号の同期装置において、
前記受信したシンボルと前記正規な同期ワードシンボルとの複素相関を演算して相関絶対値を得る相関演算部と、該相関演算部で得られた相関絶対値と比較するための相関閾値を設定する相関閾値設定部と、前記相関絶対値が前記相関閾値を超えたときに前記受信したシンボルを同期ワード候補として前記正規な同期ワードシンボルとのパターン照合を行う同期ワード検出部と、を具備することを特徴とする多値ＱＡＭ／多値ＰＳＫ信号の同期装置。
【請求項８】
請求項７に記載の多値ＱＡＭ／多値ＰＳＫ信号の同期装置において、
前記同期ワード候補の周波数誤差と位相誤差を検出する手段を具備し、該周波数誤差と位相誤差を検出する手段で前記同期ワード候補の周波数誤差および位相誤差が検出されると該同期ワード候補をその位相および周波数を補正してから前記同期ワード検出部に送ることを特徴とする多値ＱＡＭ／多値ＰＳＫ信号の同期装置。
【請求項９】
請求項７又は８に記載の多値ＱＡＭ信号の同期装置において、
受信したシンボルからシンボルクロックを再生するシンボル同期部と、該シンボル同期部で再生されたシンボルクロックにより前記受信したシンボルから１シンボル当り１個のデータを抽出するシンボル点抽出部とを具備し、該シンボル点抽出部で抽出した１シンボル当り１個のデータにより前記相関演算部における相関演算を行うことを特徴とする多値ＱＡＭ／多値ＰＳＫ信号の同期装置。
【請求項１０】
請求項７乃至９のいずれか１つに記載の多値ＱＡＭ／多値ＰＳＫ信号の同期装置において、
前記相関閾値設定部は、相関閾値として最初は初期値を設定し、前記相関演算部で得られた相関絶対値が該初期値を超えたときは、前記相関閾値を該相関絶対値の最大値に基づいて定めた新たな相関閾値に更新することを特徴とする多値ＱＡＭ／多値ＰＳＫ信号の同期装置。
【請求項１１】
請求項１０に記載の多値ＱＡＭ／多値ＰＳＫ信号の同期装置において、
前記相関閾値設定部は、前記相関閾値を更新してから所定の時間が経過しても前記相関演算部により得られる前記相関絶対値が前記更新した相関閾値を超えないときは、前記更新した相関閾値を前記初期値に戻すことを特徴とする多値ＱＡＭ／多値ＰＳＫ信号の同期装置。
【発明の詳細な説明】
【技術分野】
【０００１】
本発明は、受信した多値ＱＡＭ／多値ＰＳＫ信号の同期方法および装置に関するものである。
【背景技術】
【０００２】
図３に１６ＱＡＭ変調されたデジタル信号のスロット構造を示す。これは、中央の１０個の同期ワードシンボルＳＷ１〜ＳＷ１０、１２８シンボル間隔で両端付近に配置されたパイロットシンボルＰ１，Ｐ２、立ち上がり時に不要スペクトルを抑えてなめらかに立ち上げるための先頭の４個のランプシンボルＬ、後端の５個のガードシンボルＧを含む合計１５０シンボルからなるスロットであり、６スロットで１フレームが構成される。この同期ワードシンボルＳＷ１〜ＳＷ１０とパイロットシンボルＰ１，Ｐ２の信号点配置図を図４に示す。１０個の同期ワードシンボルＳＷ１〜ＳＷ１０は信号点配置図の最大振幅包絡線上に設定され、前記した図３に示すような順序でスロットの中央に挿入されている。
【０００３】
このような同期ワードシンボルＳＷ１〜ＳＷ１０を含む１６ＱＡＭのシンボル信号を受信し復号復調する場合、ＲＦ回路で一旦ＩＦ信号に周波数変換した後、Ａ／Ｄ変換によりデジタル化し、その後に直交検波により同相成分Ｉと直交成分Ｑに分離し、同期ワードシンボルＳＷ１〜ＳＷ１０の相関を演算して同期をとりデマッピングし復号復調している。
【０００４】
図５は同期ワードシンボルＳＷ１〜ＳＷ１０により相関を演算して同期をとる従来構成を示す図である。デジタルの１６ＱＡＭ信号の同相成分Ｉと直交成分Ｑは、１０個並んだ１シンボル遅延器５１1〜５１10に順次入力し、１シンボルずつ遅延を受ける。そして、各１シンボル遅延器５１1〜５１10の出力信号は逆変換部５２1〜５２10において、正規の同期ワードシンボルとの複素相関が演算される。５３1〜５３10は逆変換部５２1〜５２10から出力する複素信号を絶対値に変換する絶対値変換部、５４は各５３1〜５３10の出力信号を加算する加算部、５５はその加算結果を相関閾値と比較する比較部である。
【０００５】
ここでは、同期ワードシンボルＳＷ１が１シンボル遅延器５１10から出力し、・・・・・、同期ワードシンボルＳＷ９が１シンボル遅延器５１2から出力し、同期ワードシンボルＳＷ１０が１シンボル遅延器５１1から出力するタイミングで、各逆変換部５２1〜５２10から同一の値の信号が出力する。そこで、これらを絶対値変換部５３1〜５３10で絶対値化してから加算器５４で加算すれば、上記タイミング時にその加算器５４の相関絶対値出力がピーク値を示す。そして、ノイズ誤検出防止のために、この相関絶対値のピーク値を相関閾値によって比較部５５で比較し、ピーク値が相関閾値より大きいとき、同期ワードシンボルの終端（ＳＷ１０）が検出されたものとし、このタイミングをシンボル同期点とする。このシンボル同期点からスロットの先端、フレームの先端等が検出でき、フレーム同期を確立できる。以上のような相関検出による同期検出方法は、特許文献１，２に記載されている。
【特許文献１】特開２０００−１６５４６５号公報
【特許文献２】特許第２７４４０７６号公報
【発明の開示】
【発明が解決しようとする課題】
【０００６】
ところが、位相以外に振幅にも情報をもたせた１６ＱＡＭ信号等の多値ＱＡＭ信号の受信では、上記した相関検出方法のみでは、正確な相関検出を実現することが困難であり、精度の高い同期検出を行うことが困難であった。また、相関閾値が固定であるので受信信号の広いダイナミックレンジに対応することが困難であった。さらには、最初は少ないサンプル点で粗く相関演算を行い一旦同期ワードが見つかってから後は多くのサンプル点で細かく相関演算を行って、相関演算の点数を減らすことも行われているが、それでも演算の負荷が大きいという問題があった。
【０００７】
本発明の目的は、相関検出の他にパターン照合も行うようにして正確な同期をとることができるようにし、また相関閾値を可変とすることで広いダイナミックレンジの入力信号に対応でき、さらにサンプル点は１シンボル当り１個として演算の負荷が大きくならないようにした同期方法および装置を提供することである。
【課題を解決するための手段】
【０００８】
請求項１にかかる発明は、受信したシンボルと受信装置内部に保持した正規な同期ワードシンボルとの比較により同期を確立する多値ＱＡＭ／多値ＰＳＫ信号の同期方法において、前記受信したシンボルと前記正規な同期ワードシンボルとの複素相関を演算して相関絶対値を得、該相関絶対値と相関閾値を比較して前者が後者を超えたときに前記受信したシンボルを同期ワード候補として検出し、該検出した同期ワード候補と前記正規な同期ワードシンボルとのパターン照合を行い、両者のパターンの一致に基づき同期を確立することを特徴とする。
請求項２にかかる発明は、請求項１に記載の多値ＱＡＭ／多値ＰＳＫ信号の同期方法において、前記パターン照合によりパターンが一致し同期が確立した後は前記複素相関の演算および前記相関絶対値と前記相関閾値の比較は行わずに前記パターン照合のみを行い、その後パターン一致が得られないとき前記複素相関の演算および前記相関絶対値と前記相関閾値の比較を行って前記同期ワード候補の検出を再開することを特徴とする。
請求項３にかかる発明は、請求項１又は２に記載の多値ＱＡＭ／多値ＰＳＫ信号の同期方法において、前記パターン照合は、前記同期ワード候補に基づいて前記同期ワード候補の位相および周波数補正を行った後に行うことを特徴とする。
請求項４にかかる発明は、請求項１乃至３のいずれか１つに記載の多値ＱＡＭ／多値ＰＳＫ信号の同期方法において、前記複素相関演算は、シンボルクロックにより受信シンボルから抽出された１シンボル当り１個のデータを使用して行うことを特徴とする。
請求項５にかかる発明は、請求項１乃至４のいずれか１つに記載の多値ＱＡＭ／多値ＰＳＫ信号の同期方法において、前記相関閾値として最初は初期値を設定し、前記得られた相関絶対値が該初期値を超えたときは、前記相関閾値を前記相関絶対値の最大値に基づいて定めた新たな相関閾値に更新するようにしたことを特徴とする。
請求項６にかかる発明は、請求項５に記載の多値ＱＡＭ／多値ＰＳＫ信号の同期方法において、前記相関閾値を更新してから所定の時間が経過しても得られる相関絶対値が前記更新した相関閾値を超えないときは、前記更新した相関閾値を前記初期値に戻すことを特徴とする。
請求項７にかかる発明は、受信したシンボルと受信装置内部に保持した正規な同期ワードシンボルとの比較により同期を確立する多値ＱＡＭ信号の同期装置において、前記受信したシンボルと前記正規な同期ワードシンボルとの複素相関を演算して相関絶対値を得る相関演算部と、該相関演算部で得られた相関絶対値と比較するための相関閾値を設定する相関閾値設定部と、前記相関絶対値が前記相関閾値を超えたときに前記受信したシンボルを同期ワード候補として前記正規な同期ワードシンボルとのパターン照合を行う同期ワード検出部と、を具備することを特徴とする。
請求項８にかかる発明は、請求項７に記載の多値ＱＡＭ／多値ＰＳＫ信号の同期装置において、前記同期ワード候補の周波数誤差と位相誤差を検出する手段を具備し、該周波数誤差と位相誤差を検出する手段で前記同期ワード候補の周波数誤差および位相誤差が検出されると該同期ワード候補をその位相および周波数を補正してから前記同期ワード検出部に送ることを特徴とする。
請求項９にかかる発明は、請求項７又は８に記載の多値ＱＡＭ／多値ＰＳＫ信号の同期装置において、受信したシンボルからシンボルクロックを再生するシンボル同期部と、該シンボル同期部で再生されたシンボルクロックにより前記受信したシンボルから１シンボル当り１個のデータを抽出するシンボル点抽出部とを具備し、該シンボル点抽出部で抽出した１シンボル当り１個のデータにより前記相関演算部における相関演算を行うことを特徴とする。
請求項１０にかかる発明は、請求項７乃至９のいずれか１つに記載の多値ＱＡＭ／多値ＰＳＫ信号の同期装置において、前記相関閾値設定部は、相関閾値として最初は初期値を設定し、前記相関演算部で得られた相関絶対値が該初期値を超えたときは、前記相関閾値を該相関絶対値の最大値に基づいて定めた新たな相関閾値に更新することを特徴とする。
請求項１１にかかる発明は、請求項１０に記載の多値ＱＡＭ／多値ＰＳＫ信号の同期装置において、前記相関閾値設定部は、前記相関閾値を更新してから所定の時間が経過しても前記相関演算部により得られる前記相関絶対値が前記更新した相関閾値を超えないときは、前記更新した相関閾値を前記初期値に戻すことを特徴とする。
【発明の効果】
【０００９】
本発明によれば、相関演算により受信シンボルから同期ワード候補を検出し、その検出した同期ワード候補について正規同期ワードパターンとのパターン照合を行うので、正確な同期確立を実現できる。また、パターン照合を行う同期ワード候補はそのパターン照合前に位相および周波数が補正されるので、その照合をより高精度に行うことができる。また、同期確立の後はパターン照合のみで同期確認を行い相関演算を不要にするので、演算の負荷が少なくなり消費電力を削減できる。また、相関演算は１シンボル当り１サンプルにより行うのでこの点でも演算負荷が少なくなる。また、相関演算においては相関絶対値が大きくなるほど相関閾値を大きな値に更新するので、誤った相関信号により誤った同期ワード候補を認識することが少なくなり、広いダイナミックレンジの入力信号に対応することができる。
【発明を実施するための最良の形態】
【００１０】
本発明では、シンボルクロックで１シンボル当り１個のデータを抽出し、１シンボルずつシフトさせ、その各シフト信号に対して正規の同期ワードのシンボルとの複素相関の絶対値を求め、その加算値を相関絶対値として出力する。相関演算すべき入力信号d(t)を、
d(t)＝di(t)−jdq(t)
とし、受信機内のメモリに予め保持しておいた正規の同期ワードシンボルを、
d0(n)＝di(n)−jdq(n)      （但し、ｎ＝０，１，２，・・・・，９）
とすると、受信シンボルと正規同期ワードシンボルとの複素相関p(t)は次の通り求められる。
2005117366.tif 000003
よって、複素相関p(t)の絶対値は、
2005117366.tif 000004
で求められる。ｋ＝ｎ、do(t)*はdo(t)の複素共役、ｐRは相関値の実数部、ｐIは虚数部である。このとき、複素相関p(t)の絶対値は周波数誤差に依存しない。また、相関処理ではシンボル同期が大きく影響を受けない範囲で周波数同期が得られていれば、必要な相関出力が得られるので、上記のようにシンボルクロックで受信した１シンボル当り１個のサンプルデータを取り込み相関演算を行い、演算負荷を軽減する。
【００１１】
上記のようにして得られた相関絶対値が相関閾値を超えているときは、現在の受信シンボルを同期ワード候補として扱う。そして、その同期ワード候補の位相および周波数誤差の補正を行ってから、正規な同期ワードシンボルのパターンとのパターン照合を行い、その照合結果により同期ワードシンボルの終端を検出し同期を取る。
【００１２】
なお、相関絶対値の大小を検出する相関閾値は、初期値設定の後は過去に検出した相関絶対値の最大値を基準として定め、新たな相関絶対値がその相関閾値を超えた場合は、特定の条件下でその相関閾値を更新する。しかし、相関閾値を更新してから所定の時間が経過しても相関絶対値がその相関閾値を超えないときは、閾値を初期値に戻す。
【００１３】
さらに、同期ワード候補のパターン照合により同期が確立した以降のスロットでは相関演算は行わず、フレームタイミングに基づいて、同期ワードを受信するはずのタイミングで、パターン照合の処理のみで同期確認を行うことで、誤同期を防ぎながら演算量を少なくし消費電力を削減する。
【実施例１】
【００１４】
図１は１６ＱＡＭ受信装置の要部の構成を示すブロック図である。１はアンテナで受信されＩＦ信号に変換された信号をデジタル信号に変換するＡ／Ｄ変換部であり、例えば４５５ＫＨｚのＩＦ信号をＩＦ信号の２倍以上の周波数でサンプリングする。２，３はＩＦデジタル信号からベースバンド信号の同相成分Ｉと直交成分Ｑを分離する直交検波用のミキサ、４はローカル発振器、５はそのローカル発振器４の出力信号の位相を９０度シフトする９０度移相器である。
【００１５】
６は同相成分Ｉと直交成分Ｑの信号のそれぞれの位相および周波数補正を行うよう位相回転を与える第１位相回転部（ＡＦＣ部）、７，８は同相成分Ｉと直交成分Ｑから高周波成分を除去するローパスフィルタである。９は受信した信号からシンボルクロックを再生出力するシンボル同期部であり、このシンボルクロックによりシンボル点抽出部１０，１１においてＩ，Ｑ成分からシンボル点が抽出される。１２は判定閾値を取り込み受信シンボルを復号して４ビット（１６値）の復調信号を得るデマッピング部である。
【００１６】
１３は相関演算部であり、受信シンボルと内部のメモリ（図示せず）に保持した正規の同期ワードシンボルとの複素相関をとって相関絶対値（加算値、以下同じ）を出力する。この相関演算部１３は例えば図５に示したように構成される。１４は相関絶対値に応じて相関閾値を設定する相関閾値設定部、１５はその相関閾値設定部１４で設定された相関閾値と相関演算部１３で得られる相関絶対値とを比較する比較部である。
【００１７】
１６はゲートであり、相関演算部１３で得られた相関絶対値が相関閾値設定部１４で設定されている相関閾値を超えたことが比較部１５で検出されたとき、つまり同期ワード候補が検出されたとき導通してＩ，Ｑの信号を通過させる。したがって、このゲート１６からは同期ワード候補が出力する。このゲート１６は後記のシンボルカウンタ２３によっても制御される。
【００１８】
１７はそのゲート１６を通過した同期ワード候補の１０シンボルの位相誤差に基づき同期ワード候補のシンボルの周波数誤差を検出する周波数誤差算出部である。１８は周波数誤差算出部１７で求められた周波数誤差に基づき同期ワード候補の周波数補正を行う第２位相回転部である。
【００１９】
１９は第２位相回転部１８で位相回転により周波数補正された同期ワード候補の１０シンボルから位相誤差（平均値）を算出する位相誤差算出部である。２０はその位相誤差算出部１９で求めた位相誤差に基づき同期ワード候補の位相補正を行う第３位相回転部である。２１は第２位相回転部１８で周波数補正され第３位相回転部２０で位相補正された同期ワード候補に基づき判定閾値を算出する判定閾値算出部である。２２はその判定閾値算出部２１で求めた判定閾値により判定した同期ワード候補と予め内部のメモリ（図示せず）に保持した正規同期ワードとをパターン照合して同期ワードを検出する同期ワード検出部である。
【００２０】
２３は同期ワード検出部２２において同期ワードが検出されると予め設定したカウント値にプリセットされシンボル同期部９からのシンボルクロックによりカウントを増進するシンボルカウンタである。２４は位相算出部であり、周波数誤差算出部１７で算出された周波数誤差、位相誤差算出部１９で算出された位相誤差、およびシンボルカウンタ２３で計数しているカウント値から次のシンボルで補正すべき位相を求め、第１位相回転部６に対して位相および周波数補正用の補正位相信号を出力する。
【００２１】
さて、入力したＩＦ信号は、Ａ／Ｄ変換器１でデジタル化された後にミキサ２，３において直交検波されて同相成分Ｉと直交成分Ｑのベースバンド信号に分離され、第１位相回転部６およびローパスフィルタ７，８を経由し、シンボル同期部９に入力する。
【００２２】
シンボル同期部９では、受信した信号の符号の変わる時刻を検出してそれに追随するように制御することによりシンボルクロックを再生出力する。再生されたシンボルクロックは、シンボル点抽出部１０，１１にタイミング信号として供給される。シンボル点抽出部１０，１１ではシンボル点（シンボル期間の中間点）が抽出される。シンボル点抽出部１０，１１でシンボル点が抽出されたシンボルは、デマッピング部１２、相関演算部１３、ゲート１６に取り込まれる。
【００２３】
デマッピング部１２では、判定閾値算出部２１で得られた判定閾値により、そこに取り込まれた受信シンボルが図４の信号点配置図の１６個のいずれのシンボルに相当するかが判定され、判定されたシンボルのデータが４ビットで取り出される。
【００２４】
相関演算部１３では、前記したような複素相関の演算が行われて相関絶対値を出力し、その相関絶対値が比較部１５において相関閾値設定部１４で設定された相関閾値と比較され、相関絶対値が相関閾値を上回ると、そのときの受信シンボルが同期ワード候補と認定されゲート１６が導通する。この相関閾値設定部１４に設定されている相関閾値は、特定の条件下で更新されるが、その詳細は後述する。
【００２５】
周波数誤差検出部１７では、ゲート１６を通過した同期ワード候補が取り込まれ、その同期ワードの位相誤差が、１０個のシンボルＳＷ１〜ＳＷ１０につき、θ１〜θ１０であったとすると、その遷移量Δθ１（＝θ２−θ１）、Δθ２（＝θ３−θ２）、・・・・・、Δθ９（＝θ１０−θ９）を求め、さらにその遷移量Δθ１、Δθ２，・・・・・、Δθ９の平均値Δθを求め、そして、受信信号のシンボルレートをＦｓとすると、Δｆ＝（Δθ／２π）×Ｆｓにより周波数誤差Δｆが求められる。
【００２６】
第２位相回転部１８では、ゲート１６を通過した同期ワード候補に対して周波数誤差算出部１７において検出された前記周波数誤差Δｆにもとづき周波数が補正される。位相誤差算出部１９では、第２位相回転部１８の出力について位相誤差φが求められる。つまり、第２位相回転部２０で補正された同期ワードシンボルＳＷ１〜ＳＷ１０の位相誤差をθ１’〜θ１０’とすると、（θ１’＋θ２’＋・・・・＋θ１０’）／１０の演算によって、位相誤差φが求められる。
【００２７】
第３位相回転部２０では、第２位相回転部１８で周波数補正された同期ワード候補に対して、位相誤差算出部１９で求めた位相誤差φに基づき位相回転が与えられ、位相が補正される。そして、第２，第３位相回転部１８，２０で周波数および位相が補正された同期ワード候補は、判定閾値算出部２１に取り込まれる。
【００２８】
この判定閾値算出部２１では、同期ワード候補の各シンボルのＩ，Ｑ成分それぞれの大きさからＩ，Ｑそれぞれの成分に対する＋２，−２の判定閾値（図４参照）を設定する。０の閾値は０のままで変更しない。また、Ｉ，Ｑの閾値はそれぞれ同じ値とする。この判定閾値により前記デマッピング部１２においてデマッピングが行われる。また、同期ワード検出部２２において、周波数および位相の補正された同期ワード候補の判定結果と予め内部のメモリ（図示せず）に保持した正規の同期ワードとのパターン照合が行われ、一致すると同期ワードのタイミング信号が得られる。
【００２９】
シンボルカウンタ２３では、同期ワード検出部２２でパターン照合により同期ワード候補のパターンと正規同期ワードのパターンの一致が検出されたとき、カウント値を所定値（スロット内の同期ワードシンボルＳＷ１０のタイミング点に対応するカウント値）にプリセットし、その後はシンボルクロック同期部９で再生されるシンボルクロックによりシンボル数をカウントし、現在の受信シンボルが何スロットの何シンボル目であるかを管理する。
【００３０】
位相算出部２４では、周波数誤差算出部１７で得られた周波数誤差をΔｆ、位相誤差算出部１９で得られた位相をφとするとき、次のスロットの周波数補正のために、
ψ＝２πΔｆｎＴ＋φ
の補正位相ψの信号を発生させる。Ｔは１シンボル期間、ｎはスロットの先頭から付けた０〜１４９のシンボル番号である。
【００３１】
第１位相回転部６では上記した補正位相ψの信号取り込み、そこに入力するＩ，Ｑ成分に乗算し、次のスロットの受信シンボルに対して位相を回転させることにより位相と周波数の補正（ＡＦＣ）を行う。すなわち、第１位相回転部６では、予めsinテーブル、cosテーブルを持たせ、
Ｉout＝Ｉcosψ−Ｑsinψ
Ｑout＝Ｉsinψ＋Ｑcosψ
の演算を行い、受信シンボルに対して位相回転を与える。ＩoutはＩ成分の出力信号、ＱoutはＱ成分の出力信号である。
【００３２】
周波数同期の確立後は第１位相回転部６において周波数誤差はほとんど補正されるために、第２位相回転部１８で回転させる周波数誤差はわずかなものとなる。したがって、この後算出する位相誤差算出部１９での位相誤差は第２位相回転部１８の影響はほとんど受けない。よって、ここで次のスロットに適用する初期位相φを位相誤差算出部１９で求めても、その影響は無視できる。
【００３３】
図２は図１の１６ＱＡＭ受信装置の相関閾値可変のフローチャートである。受信開始直後は相関閾値設定部１４の相関閾値は初期値に設定され、その後に相関演算部１３で得られる相関絶対値と比較される。この比較により相関絶対値が相関閾値を超えたときは、その相関閾値とそのときの相関絶対値の１／２とを比較して後者が大きい場合に相関閾値を相関絶対値の１／２に更新し、次回以降に得られる相関絶対値との比較用とする。なお、ここでは更新する閾値の値を相関絶対値の１／２にしているが、これは一例であり、相関絶対値より所定量小さな値であればよい。
【００３４】
以上のようにして相関絶対値が相関閾値を超えたときは、ゲート１６が導通してそのときの受信シンボルを同期ワード候補として後段に送り、周波数誤差算出部１７，位相誤差算出部１９で周波数／位相の誤差の算出を行い、第２，第３位相回転部１８，２０で周波数／位相の補正を行ない、高精度な同期ワード候補として判定閾値算出部２１で判定閾値を算出し、同期ワード検出部２２において正規の同期ワードとパターン照合して同期ワードを検出する。
【００３５】
ここにおいて同期ワード候補が正規同期ワードのパターンと一致すると検出されることにより、同期が確立したものとする。同期が確立した後は、ゲート１６を、比較部１５による制御からシンボルカウンタ２３による制御に切り替えて受信シンボルの中から同期ワード候補を取り込み、周波数誤差算出、位相誤差算出、周波数補正、位相補正、判定閾値算出、同期ワード検出等を行うが、相関演算部１３での相関演算や相関閾値設定部１４での新たな相関閾値の設定動作は行わない。
【００３６】
この後、同期ワード検出部２２でのパターン照合において受信シンボルが同期ワードの正規パターンと一致しないときは、相関演算部１３、相関閾値設定部１４、比較部１５の動作に戻り、ゲート１６をシンボルカウンタ２３による制御から比較部１５による制御に切り替える。このとき、相関絶対値が相関閾値を超えないことが指定回数以上になると、相関閾値を初期値に戻す。
【実施例２】
【００３７】
なお、実施例１では１６ＱＡＭの信号を受信し復調する場合について説明したが、３２ＱＡＭ等のその他の多値ＱＡＭ信号についても、また４ＰＳＫ、８ＰＳＫ等の多値ＰＳＫ信号についても同様に行うことができる。
【図面の簡単な説明】
【００３８】
【図１】本発明の実施例１の１６ＱＡＭ受信装置の要部のブロック図である。
【図２】図１の１６ＱＡＭ受信装置の相関閾値更新のフローチャートである。
【図３】１６ＱＡＭ信号のスロットの構成図である。
【図４】１６ＱＡＭ信号の信号点配置図である。
【図５】従来の相関演算の説明図である。
【図１】
2005117366.tif 000005
【図２】
2005117366.tif 000006
【図３】
2005117366.tif 000007
【図４】
2005117366.tif 000008
【図５】
2005117366.tif 000009